(57)【要約】【課題】誘導灯器具および非常灯器具の両方を点検して当該点検情報を記憶するとともに、それぞれの点検情報を個別に表示可能な防災用照明装置点検システムを提供する。【解決手段】防災用照明装置点検システム１は、誘導灯点検装置４および非常灯点検装置５が設けられているとともに、誘導灯器具２および非常灯器具３，３Ａのそれぞれの第１の伝送手段１８と通信可能に接続された第２の伝送手段４３と、第２の伝送手段４３が受信した点検結果の情報の送信元に応じて誘導灯点検装置４または非常灯点検装置５の表示部２３に点検結果の情報を表示させるように制御する制御手段４２とを有して構成された制御装置６を具備している。【選択図】図３
2008066070.tif 000002
【特許請求の範囲】
【請求項１】
ランプと、非常用電源と、通常時は商用電源からの電力にて前記ランプを点灯させ、非常時は前記非常用電源からの電力にて前記ランプを点灯させる点灯回路とを有してなり、前記ランプと前記非常用電源の点検を行う点検手段およびこの点検手段に対する点検動作の指令や点検結果の情報を送受信する第１の伝送手段をそれぞれ備えた誘導灯器具および非常灯器具と；
誘導灯器具に対して、前記点検動作の周期を設定する操作部と、前記点検結果の情報を表示する表示部とを有して構成された誘導灯点検装置と；
非常灯器具に対して、前記点検動作の周期を設定する操作部と、前記点検結果の情報を表示する表示部とを有して構成された非常灯点検装置と；
誘導灯点検装置および非常灯点検装置が設けられているとともに、誘導灯器具および非常灯器具のそれぞれの第１の伝送手段と通信可能に接続され、前記点検動作の指令を送信し前記点検結果の情報を受信する第２の伝送手段と、第２の伝送手段が受信した前記点検結果の情報の送信元に応じて誘導灯点検装置または非常灯点検装置の表示部に前記点検結果の情報を表示させるように制御する制御手段とを有して構成された制御装置と；
を具備していることを特徴とする防災用照明装置点検システム。
【請求項２】
ランプと、非常用電源と、通常時は商用電源からの電力にて前記ランプを点灯させ、非常時は前記非常用電源からの電力にて前記ランプを点灯させる点灯回路とを有してなり、前記ランプと前記非常用電源の点検を行う点検手段およびこの点検手段に対する点検動作の指令や点検結果の情報を送受信する第１の伝送手段をそれぞれ備えた誘導灯器具および非常灯器具と；
誘導灯器具に対して、前記点検動作の周期を設定する操作部と、前記点検結果の情報を表示する表示部とを有して構成された誘導灯点検装置と；
非常灯器具に対して、前記点検動作の周期を設定する操作部と、前記点検結果の情報を表示する表示部とを有して構成された非常灯点検装置と；
誘導灯点検装置および非常灯点検装置のいずれか一方が設けられているとともに、誘導灯器具および非常灯器具のそれぞれの第１の伝送手段と通信可能に接続され、前記点検動作の指令を送信し前記点検結果の情報を受信する第２の伝送手段と、誘導灯点検装置および非常灯点検装置の前記一方に対する他方との間で前記点検動作の周期および前記点検結果の情報を通信する第１の通信手段と、第２の伝送手段が受信した前記点検結果の情報の送信元に応じて誘導灯点検装置または非常灯点検装置の表示部に前記点検結果の情報を表示させるように制御する制御手段とを有して構成された制御装置と；
誘導灯点検装置および非常灯点検装置の前記一方に対する他方が設けられ、制御装置の第１の通信手段との間で前記点検動作の周期および前記点検結果の情報を通信する第２の通信手段とを有してなり、第２の通信手段が前記点検結果の情報を受信したときに前記他方の表示部に前記点検結果の情報が表示されるように構成された表示装置と；
を具備していることを特徴とする防災用照明装置点検システム。
【請求項３】
制御装置の制御手段は、前記点検動作の周期を設定する誘導灯点検装置または非常灯点検装置に対して、誘導灯器具および非常灯器具に対する前記点検動作の日時が重複するときには、当該点検動作の周期の設定を無効とし、当該無効の表示を誘導灯点検装置または非常灯点検装置の表示部に表示させるように構成されていることを特徴とする請求項１または２記載の防災用照明装置点検システム。
【発明の詳細な説明】
【技術分野】
【０００１】
この発明は、非常時に誘導路や非常口を示す誘導灯器具及び非常灯器具等の防災用照明装置において、それらの器具が非常時に正常に動作するか否かの点検を制御装置にて管理実行させる防災用照明装置点検システムに関する。
【背景技術】
【０００２】
従来、非常時に誘導路や非常口等を示す照明器具としての誘導灯器具や非常灯器具等の防災用照明装置（以下、単に防災用照明装置という。）は、非常時に商用電源が遮断された際に、最低限規定された時間点灯させるように、非常用電源が内蔵されている。
【０００３】
この防災用照明装置は、非常時に内蔵されている非常用電源にて規定された時間以上点灯できるように、定期的に点検することが法的に義務付けられている。この防災用照明装置の法的な定期点検は、非常用電源により防災用照明装置を例えば２０分または３０分もしくは６０分間点灯させることができるかを確認するもので、例えば６ヶ月に一度実施される。また、この定期点検以外に週間単位で、点検スイッチを短時間操作して、非常用電源による点灯確認を行う日常的点検も実施されることもある。
【０００４】
一般的に、防災用照明装置は、防災用照明装置に設けられている点検スイッチを操作している間、商用電源による点灯から非常用電源による点灯に切り換わるようになっている。このために、定期点検時には、点検スイッチを所定の点灯時間である２０分または３０分もしくは６０分間操作しておかなければならない。
【０００５】
一方、この定期点検後の非常用電源の充電に時間を要するために、点検後の充電期間に非常事態が生じると非常用電源による点灯が十分確保できないこともある。そのために、例えば人が存在する時間帯に充電期間とならないように点検したり、あるいは、隣り合った防災用照明装置を同時に点検しないよう配慮する必要がある。
【０００６】
このように人の集まる時間帯や隣り合う器具の同時点検を避ける等の条件の基で、個々の防災用照明装置の点検スイッチを人為的に所定時間操作して、非常用電源による点灯確認を行うことは大変煩雑な作業である。
【０００７】
このため、誘導灯や非常灯の非常用電源の点検作業を自動化や省力化するデータ通信技術を利用した非常用照明点検システムが提案されている（例えば、特許文献１参照。）。この従来技術の非常用照明点検システムは、誘導灯または非常灯である複数の照明装置および制御装置を備えており、制御装置での点検作業の要求により、照明装置で非常用電源の点検が行われて、その点検結果が照明装置の記憶部に記憶される。そして、制御装置の表示器に点検結果の異常を表示させたりすることが可能になっているものである。
【特許文献１】特開２００５−１８３３２１号公報（第５−６頁、図１）
【発明の開示】
【発明が解決しようとする課題】
【０００８】
特許文献１の非常用照明点検システムは、消防庁告示あるいは建築基準法により、誘導灯または非常灯のいずれか一方の点検作業を行ない、当該点検結果を表示器に表示させるものである。すなわち、誘導灯および非常灯に対して、それぞれ独立した非常用照明点検システムを必要とするものであり、１つの非常用照明点検システムにおいて誘導灯および非常灯の両方を点検するようには構成されていないものである。
【０００９】
本発明は、誘導灯器具および非常灯器具の両方を点検して当該点検情報を記憶するとともに、それぞれの点検情報を個別に表示可能な防災用照明装置点検システムを提供することを目的とする。
【課題を解決するための手段】
【００１０】
請求項１に記載の防災用照明装置点検システムは、ランプと、非常用電源と、通常時は商用電源からの電力にて前記ランプを点灯させ、非常時は前記非常用電源からの電力にて前記ランプを点灯させる点灯回路とを有してなり、前記ランプと前記非常用電源の点検を行う点検手段およびこの点検手段に対する点検動作の指令や点検結果の情報を送受信する第１の伝送手段をそれぞれ備えた誘導灯器具および非常灯器具と；誘導灯器具に対して、前記点検動作の周期を設定する操作部と、前記点検結果の情報を表示する表示部とを有して構成された誘導灯点検装置と；非常灯器具に対して、前記点検動作の周期を設定する操作部と、前記点検結果の情報を表示する表示部とを有して構成された非常灯点検装置と；誘導灯点検装置および非常灯点検装置が設けられているとともに、誘導灯器具および非常灯器具のそれぞれの第１の伝送手段と通信可能に接続され、前記点検動作の指令を送信し前記点検結果の情報を受信する第２の伝送手段と、第２の伝送手段が受信した前記点検結果の情報の送信元に応じて誘導灯点検装置または非常灯点検装置の表示部に前記点検結果の情報を表示させるように制御する制御手段とを有して構成された制御装置と；を具備していることを特徴とする。
【００１１】
本発明および以下の各発明において、特に言及しない限り、各構成は以下による。
【００１２】
ランプは、電球、放電ランプまたはＬＥＤ等の非常時に点灯して誘導路や非常口を示す表示パネルまたは避難経路を照明するものであればよい。非常用電源は、例えば充電可能なバッテリである。
【００１３】
点灯回路は、通常時は商用電源からの電力によりランプを点灯させ、非常時に商用電源からの電力が遮断された際に、その商用電源からの電力遮断を検出して、非常用電源からの電力にてランプを点灯させると共に、通常時に非常用電源を充電するための充電手段を有している。ここで、「通常時は商用電源からの電力によりランプを点灯させる」とは、点灯回路は、人体の存否に応じてランプを点灯または消灯可能に構成されているもの、建物の外側の階段などの明るい箇所では消灯させるものを包含する。
【００１４】
点検手段は、少なくとも、強制的に点灯回路を非常用電源からの電力にてランプを点灯させて、ランプおよび非常用電源が所定の時間以上に亘って正常に動作するか否かを点検するものである。この点検手段は、制御装置からの点検動作の指令にて点検動作を行うことができる。
【００１５】
第１の伝送手段は、制御装置と通信可能に接続され、制御装置からの誘導灯器具または非常灯器具に対する点検動作の指令を受信し、点検後の点検結果の情報などを送信する。
【００１６】
「点検動作の周期」とは、法的に義務付けられている定期点検の期間例えば６ヵ月の他、任意に実施する点検期間をいう。
【００１７】
本発明によれば、誘導灯器具および非常灯器具に対する点検作業者が異なっても、制御装置に設けられている誘導灯点検装置および非常灯点検装置から誘導灯器具および非常灯器具に対する点検動作の周期の設定および誘導灯器具および非常灯器具のそれぞれのランプと非常用電源の点検が行え、それぞれの点検結果の情報をそれぞれの表示部に表示させることができる。
【００１８】
請求項２に記載の防災用照明装置点検システムは、ランプと、非常用電源と、通常時は商用電源からの電力にて前記ランプを点灯させ、非常時は前記非常用電源からの電力にて前記ランプを点灯させる点灯回路とを有してなり、前記ランプと前記非常用電源の点検を行う点検手段およびこの点検手段に対する点検動作の指令や点検結果の情報を送受信する第１の伝送手段をそれぞれ備えた誘導灯器具および非常灯器具と；誘導灯器具に対して、前記点検動作の周期を設定する操作部と、前記点検結果の情報を表示する表示部とを有して構成された誘導灯点検装置と；非常灯器具に対して、前記点検動作の周期を設定する操作部と、前記点検結果の情報を表示する表示部とを有して構成された非常灯点検装置と；誘導灯点検装置および非常灯点検装置のいずれか一方が設けられているとともに、誘導灯器具および非常灯器具のそれぞれの第１の伝送手段と通信可能に接続され、前記点検動作の指令を送信し前記点検結果の情報を受信する第２の伝送手段と、誘導灯点検装置および非常灯点検装置の前記一方に対する他方との間で前記点検動作の周期および前記点検結果の情報を通信する第１の通信手段と、第２の伝送手段が受信した前記点検結果の情報の送信元に応じて誘導灯点検装置または非常灯点検装置の表示部に前記点検結果の情報を表示させるように制御する制御手段とを有して構成された制御装置と；誘導灯点検装置および非常灯点検装置の前記一方に対する他方が設けられ、制御装置の第１の通信手段との間で前記点検動作の周期および前記点検結果の情報を通信する第２の通信手段とを有してなり、第２の通信手段が前記点検結果の情報を受信したときに前記他方の表示部に前記点検結果の情報が表示されるように構成された表示装置と；を具備していることを特徴とする。
【００１９】
本発明によれば、誘導灯器具および非常灯器具に対する点検作業者が異なっても、制御装置に設けられている誘導灯点検装置または非常灯点検装置のいずれか一方からこの一方に対応する誘導灯器具または非常灯器具に対する点検動作の周期の設定およびランプと非常用電源の点検が行え、その点検結果の情報を前記一方の表示部に表示させることができる。また、表示装置に設けられている誘導灯点検装置または非常灯点検装置の前記一方に対する他方からこの他方に対応する誘導灯器具または非常灯器具に対する点検動作の周期の設定およびランプと非常用電源の点検が行え、その点検結果の情報を前記他方の表示部に表示させることができる。
【００２０】
請求項３に記載の防災用照明装置点検システムは、請求項１または２記載の防災用照明装置点検システムにおいて、制御装置の制御手段は、前記点検動作の周期を設定する誘導灯点検装置または非常灯点検装置に対して、誘導灯器具および非常灯器具に対する前記点検動作の日時が重複するときには、当該点検動作の周期の設定を無効とし、当該無効の表示を少なくとも当該点検動作の周期の設定を行っている誘導灯点検装置または非常灯点検装置の表示部に表示させるように構成されていることを特徴とする。
【００２１】
誘導灯器具または非常灯器具のいずれかに対する点検動作の周期の設定は既に行われており、当該設定が行われていない誘導灯器具または非常灯器具に対して当該設定が行われるときに、誘導灯器具および非常灯器具に対する点検動作の日時が重複するときには、当該点検動作の周期の設定が無効とされるものである。
【００２２】
「誘導灯器具および非常灯器具に対する点検動作の日時が重複する」とは、互いに近くに配設され、両方が略同時に点検動作されることによって避難誘導時のそれぞれの点灯に障害が生じる位置関係にある誘導灯器具および非常灯器具に対する点検動作の日時の重複を意味する。
【００２３】
本発明によれば、点検動作の周期を設定しているときに、誘導灯器具および非常灯器具に対する点検動作の日時が重複するときには、当該点検動作の周期の設定が無効とされ、当該無効の表示がなされるので、当該点検動作の周期を変更して設定することにより、誘導灯器具および非常灯器具に対する点検動作の日時の重複が避けられる。すなわち、制御手段により、誘導灯器具および非常灯器具に対する点検スケジュールの連動化が図られる。
【発明の効果】
【００２４】
請求項１の発明によれば、誘導灯器具および非常灯器具に対する点検作業者が異なっても、制御装置において誘導灯点検装置および非常灯点検装置から個別に誘導灯器具および非常灯器具のそれぞれの点検動作の周期の設定および点検作業が行えて、その点検結果の情報をそれぞれの表示部に表示させることができるので、少なくともランプと非常用電源に対して異常のある誘導灯器具または非常灯器具を容易に特定することができる。
【００２５】
請求項２の発明によれば、誘導灯器具および非常灯器具に対する点検作業者が異なっても、制御装置に設けられた誘導灯点検装置または非常灯点検装置のいずれか一方および表示装置に設けられた誘導灯点検装置または非常灯点検装置の前記一方に対する他方から個別に誘導灯器具および非常灯器具のそれぞれの点検動作の周期の設定および点検作業が行えて、その点検結果の情報をそれぞれの表示部に表示させることができるので、少なくともランプと非常用電源に対して異常のある誘導灯器具または非常灯器具を容易に特定することができる。
【００２６】
請求項３の発明によれば、誘導灯器具および非常灯器具に対する点検動作の日時が重複しないように当該点検動作の周期の設定が行われて、誘導灯器具および非常灯器具のそれぞれの点検動作が略同時に実行されることが防止されるので、誘導灯器具または非常灯器具による非難誘導の安全性を向上させることができる。
【発明を実施するための最良の形態】
【００２７】
以下、本発明の一実施の形態について、図面を参照して説明する。まず、本発明の第１の実施形態について説明する。
【００２８】
図１ないし図４は、本発明の第１の実施形態を示し、図１は防災用照明装置点検システムの概略構成図、図２は誘導灯器具のブロック図、図３は制御装置のブロック図、図４は誘導灯点検装置の概略正面図である。
【００２９】
図１において、防災用照明装置点検システム１は、誘導灯器具２、非常灯器具３，３Ａ、誘導灯点検装置４、非常灯点検装置５および制御装置６を有して構成されている。
【００３０】
誘導灯器具２および非常灯器具３，３Ａは、建物内の誘導路や非常口の天井面などに設置され、それぞれ複数個が伝送線７を介して制御装置６に接続されている。
【００３１】
誘導灯器具２は、図２に示すように、ランプ９、非常用電源１０を含んで構成された電源部１１、点灯回路１２、表示部１３、点検手段を構成する操作部１４、リモコン送受信部１５、制御部１６、記憶部１７および第１の伝送手段としての伝送部１８を有して構成されている。
【００３２】
ランプ９は、例えば蛍光ランプや発光ダイオード（ＬＥＤ）からなる。非常用電源１０は、例えばバッテリからなり、通常時に商用交流電源Ｖｓからの電力にて充電される。
【００３３】
電源部１１は、通常時に、商用交流電源Ｖｓの交流電圧を所定の直流電圧に変換して非常用電源１０に供給するとともに、商用交流電源Ｖｓの電力を点灯回路１２に供給する。そして、非常時には、非常用電源１０の電力を点灯回路１２に供給するように構成されている。
【００３４】
点灯回路１２は、通常時に商用交流電源Ｖｓからの電力にてランプ９を点灯させ、非常時に非常用電源１０の電力にてランプ９を点灯させるように構成されている。
【００３５】
表示部１３は、非常用電源１０の充電状態やランプ９の点灯状態をそれぞれ表示するＬＥＤからなる充電モニターや点灯モニターを有して構成されている。
【００３６】
そして、操作部１４は、図示しない引き紐またはスイッチを有して構成されている。引き紐が引っ張られ、またはスイッチが押されると、制御部１６は、電源部１１に対して通常時の状態から非常時の状態に強制的に変更させる。すなわち、ランプ９と非常用電源１０などの非常点灯の確認動作を実行させる。
【００３７】
リモコン送受信部１５は、リモコン送信機１９から送信された赤外線信号例えば点検動作の指令の信号を受信し、リモコン送信機１９に対して返信信号例えば点検結果の情報の信号を送信するように構成されている。制御部１６は、点検動作の指令の信号に応じて、電源部１１に対して通常時の状態から非常時の状態に強制的に変更させ、ランプ９と非常用電源１０などの点検を実行する。また、リモコン送信機１９からの要求信号に応じて、リモコン送受信部１５から点検結果の情報の信号を送信させる。
【００３８】
制御部１６は、操作部１４での引き紐による操作またはリモコン送受信部１５での点検動作の指令の信号の受信に応じて、ランプ９および非常用電源１０などの点検を行うように構成されている。当該点検は、非常用電源１０からの電力にてランプ９が点灯するか、および非常用電源１０は所定時間に亘ってランプ９を点灯させる電力を有しているか等、非常時の点灯動作に不具合を生じさせるか否かなどである。この点検結果は、表示部１３の充電モニターや点灯モニターなどを用いて表示されるとともに、リモコン送信機１９においてリモコン送受信部１５から返信された点検結果の情報により確認される。
【００３９】
また、上記点検動作は、後述の制御装置６からの点検動作の指令信号により実行される。また、点検結果の情報は、制御装置６からの要求信号などにより後述の誘導灯点検装置４などにおいて表示されるようになっている。
【００４０】
記憶部１７は、誘導灯器具２を識別するための固有ＩＤであるアドレスを記憶しているとともに、上記点検結果の情報を記憶するように構成されている。そして、記憶された点検結果の情報などは、制御装置６からの要求信号などにより読み出されて制御装置６側に送信される。
【００４１】
そして、伝送部１８は、伝送線７に接続されており、制御装置６から送信された点検動作の指令信号を受信して制御部１６に伝送し、点検動作による点検結果の情報を制御装置６側へ送信するように構成されている。ランプ９および非常用電源１０などの点検動作は、点検動作の指令信号に応じて制御部１６の制御により実行される。また、点検結果の情報の送信は、制御装置６からの要求信号などに応じて制御部１６の制御により実行される。
【００４２】
上述のように構成された誘導灯器具２に対して、非常灯器具３，３Ａも同様に構成されている。ここで、非常灯器具３，３Ａのランプ９は、電球、蛍光ランプや発光ダイオードなどで構成されている。
【００４３】
そして、誘導灯点検装置４および非常灯点検装置５は、図１に示すように、制御装置６に一体的に設けられ、かつ操作部３０および表示部２３が制御盤２０の外表面２０ａに露出するようにして制御盤２０に収容されている。
【００４４】
誘導灯点検装置４は、図４に示すように、表面４ａに、通電状態を表す電源ＬＥＤ２１、各種制御モードの設定をリセットする設定リセットボタン２２、誘導灯器具２の点検結果の情報等の表示を行う表示部２３、各種動作モードの設定やその動作モードの開始指令等を入力するために設けられたＳＨＩＦＴボタン２４、アドレス確認ボタン２５、時刻／日付ボタン２６、設定ボタン２７、手動点検ボタン２８、ＥＮＴＥＲボタン２９からなる入力ボタンを有する操作部３０が設けられている。
【００４５】
ＳＨＩＦＴボタン２４は、各ボタンと同時に操作する。アドレス確認ボタン２５は、登録されているアドレスを確認するときに操作する。時刻／日付ボタン２６は、現在の時刻、点検日などを確認するときに操作する。設定ボタン２７は、点検スケジュールや各種設定をするときに操作する。手動点検ボタン２８は、誘導灯器具２に対して手動で点検を行う場合に操作する。そして、ＥＮＴＥＲボタン２９は、各ボタン操作の確定操作時に操作するものである。
【００４６】
操作部３０には、さらに誘導灯器具２のアドレスの変更を可能または不可能にさせるためのアドレスロックスイッチ３１や伝送線７が正常であるときに点灯する通信線モニター３２が設けられている。
【００４７】
表示部２３は、誘導灯器具２を点検動作させた結果、異常が検出された誘導灯器具２のアドレスや点検の日時などを表示する異常機器番号表示部３３、誘導灯器具２の異常内容や点検動作などの状態を表示する機器状態表示部３４および誘導灯器具２を操作する機器操作部３５の３つのエリアからなっている。
【００４８】
異常機器番号表示部３３には、誘導灯器具２の固有ＩＤであるアドレス、点検の日付および時刻を７つのセグメントにて数字を表示させる７セグメント素子を４つ並べて４桁の数字を表示させる数字表示部３６、この数字表示部３６に表示されている数字が誘導灯器具２のアドレス、日付および時刻のいずれの項目であるか表示させる数字項目表示部３７からなっている。この数字項目表示部３７には、アドレス、日付および時刻の項目表記と、その項目表記の図中左隣にＬＥＤを設け、そのＬＥＤが点灯された項目の数字が数字表示部３６に表示されるようになっている。
【００４９】
また、異常機器番号表示部３３には、操作部３０の設定ボタン２７などを用いて設定される点検動作の設定の無効を表示するＬＥＤからなる設定無効表示部８が設けられている。この設定無効表示部８は、点検動作の周期を設定しているときに、既に非常灯器具３，３Ａに対する点検動作の周期の設定が行われていて、非常灯器具３，３Ａに対する点検動作の日時と重複するときに点灯するものである。
【００５０】
点検動作の周期の設定は、異常機器番号表示部３３の数字表示部３６に設定ボタン２７を用いて周期の数字を表示させ、後述の前次ボタン４１および設定ボタン２７などを用いて設定する。ここで、点検動作の周期は、法定の定期点検の期間例えば６ヵ月や任意の点検期間例えば１ヵ月、２ヵ月である。
【００５１】
機器状態表示部３４には、誘導灯器具２の異常内容と点検状態を表示する項目である電池、ランプ、器具、通信、監視中、点検中および点検中断等の項目表記と、それぞれの項目表記の図中左隣にＬＥＤが設け、そのＬＥＤが点灯された項目が機器の状態を示すようになっている。すなわち、電池モニター３４ａは、誘導灯器具２の非常用電源１０の寿命時に点滅し、非常用電源１０の外れなどの異常時に点灯する。ランプモニター３４ｂは、ランプ９の寿命時に点滅し、不点などの異常時に点灯する。器具モニター３４ｃは、ランプ９および非常用電源１０以外の誘導灯器具２に異常が発生した時に点灯する。通信モニター３４ｄは、伝送線７の断線などの通信異常時に点灯する。そして、監視中モニター３４ｅは、誘導灯器具２を監視している時に点灯し、点検中モニター３４ｆは、誘導灯器具２が点検している時に点灯し、点検中断モニター３４ｇは、誘導灯器具２の点検が中断された場合に点灯する。また、点検中断の図中右隣に、点検中断した誘導灯器具２を確認するときに操作する点検中断ボタン３８が設けられている。
【００５２】
機器操作部３５には、誘導灯器具２の点検の結果、異常が検出されると異常発生を告知するための異常ランプ３９、この異常ランプ３９が点灯した際に異常である誘導灯器具２のアドレスおよび異常内容を確認するために操作する確認ボタン４０および数字表示部３６に表示されている数字を前または次の数字に変更させるための前次ボタン４１からなっている。
【００５３】
そして、入力ボタン２４〜２９、確認ボタン４０および前次ボタン４１の操作により、誘導灯器具２に対する点検動作の周期の設定や点検始動、点検結果の情報の収集および記憶、異常機器番号表示部３３や機器状態表示部３４等の駆動が制御装置６の制御部４２で制御され、制御装置６の伝送部４３において伝送線７を介して誘導灯器具２との点検動作の指令や点検結果の情報等の信号が送受信される。
【００５４】
上述したように、誘導灯点検装置４からの誘導灯器具２に対する点検動作の周期の設定および点検結果の情報の送信（点検結果の情報を収集するための要求信号）の設定は、操作部３０の入力ボタン２４〜２９および機器操作部３５の確認ボタン４０および前次ボタン４１の操作により行える。また、誘導灯器具２での点検結果の情報は、表示部２３である機器操作部３５、異常機器番号表示部３３および機器状態表示部３４において表示される。
【００５５】
そして、非常灯点検装置５は、誘導灯点検装置４と同様に構成されており、伝送線７に接続されている非常灯器具３，３Ａに対して、点検動作の周期の設定および点検結果の情報の送信を設定することができ、非常灯器具３，３Ａにおける点検結果の情報を表示することができる。
【００５６】
制御装置６は、図３に示すように、制御手段としての制御部４２、第２の伝送手段としての伝送部４３、記憶部４４、ＬＡＮインターフェース（Ｉ／Ｆ）部４５、接点入力部４６、接点出力部４７および電源部４８を有して構成され、誘導灯点検装置４および非常灯点検装置５をそれぞれ配設している。
【００５７】
制御部４２は、上述したように、誘導灯点検装置４（非常灯点検装置５）において設定された誘導灯器具２（非常灯器具３）の点検動作の指令や誘導灯器具２（非常灯器具３）からの点検結果の情報の送信の要求信号を伝送部４３から伝送線７に出力させる。そして、伝送部４３が点検結果の情報を受信したときに、当該点検結果の情報を記憶部４４に記憶させるとともに、点検結果の情報の送信元が誘導灯器具２または非常灯器具３のいずれかに応じて、誘導灯点検装置４または非常灯点検装置５の表示部２３である機器操作部３５、異常機器番号表示部３３および機器状態表示部３４等の駆動を制御して、当該点検結果の情報を表示させるように構成されている。
【００５８】
また、制御部４２は、誘導灯点検装置４または非常灯点検装置５において点検動作の周期を設定しているときに、誘導灯器具２および非常灯器具３，３Ａに対する点検動作の日時が重複するときには、点検動作の周期の設定を無効とするように構成されている。そして、点検動作の周期を設定している誘導灯点検装置４または非常灯点検装置５の設定無効表示部８を点灯させ、点検動作の周期の設定が無効とされ設定できないことを報知させる。これにより、点検作業者は、無効となる点検動作の周期を変更して設定することができる。
【００５９】
伝送部４３は、伝送線７を介して誘導灯器具２および非常灯器具３のそれぞれの伝送部１８と通信可能に接続されており、制御部４２の制御に応じて、誘導灯器具２または非常灯器具３の点検動作の指令などの制御信号を送信するとともに、誘導灯器具２または非常灯器具３から送信された点検結果の情報などを受信するように構成されている。
【００６０】
記憶部４４は、制御装置６、誘導灯器具２および非常灯器具３のそれぞれのアドレス、誘導灯点検装置４または非常灯点検装置５の駆動などを制御する各種プログラムなどを記憶しているとともに、誘導灯器具２または非常灯器具３の点検動作の周期や点検結果の情報などを記憶するように構成されている。
【００６１】
ＬＡＮＩ／Ｆ部４５は、外部ネットワークとの間で信号を送受信するように構成され、ハブ（ＨＵＢ）４９を介して例えばパソコン５０に接続されている。そして、パソコン５０からの要求信号に応じて、例えば記憶部４４に記憶されている点検結果の情報をパソコン５０側に送信する。
【００６２】
接点入力部４６は、外部の自動火災報知設備５１に接続されている。自動火災報知設備５１が火災を検知すると、火災発生の非常信号が入力され、この非常信号を制御部４２に送出するように構成されている。接点出力部４７は、例えば誘導灯器具２または非常灯器具３，３Ａに異常が発生した場合に接点を開閉し、他の外部機器を制御させるものである。
【００６３】
そして、電源部４８は、商用交流電源Ｖｓに接続され、交流電圧を所定の直流電圧に変換して、制御部４２などの各構成部に電力を供給するように構成されている。
【００６４】
上述したように、制御装置６には、誘導灯点検装置４および非常灯点検装置５が設けられている。そして、誘導灯点検装置４において、操作部３０の入力ボタン２４〜２９、表示部２３の確認ボタン４０および前次ボタン４１を操作することにより、点検動作の周期の設定が行われ、当該周期に基づいて誘導灯器具２に対するランプ９および非常用電源１０などの点検が行われ、その点検結果を表示部２３に表示させることができる。
【００６５】
そして、誘導灯器具２の点検の結果、誘導灯器具２に異常が検出されると、表示部２３の異常ランプ３９により異常発生が告知される。そして、確認ボタン４０の操作により、異常機器番号表示部３３において、異常が検出された誘導灯器具２のアドレスや点検日時を特定することができ、機器状態表示部３４において、どこに異常があるのかの異常内容（異常の項目）を特定することができる。これにより、異常発生の誘導灯器具２に対して、迅速に対策を行うことができる。
【００６６】
また、同様に、非常灯点検装置５において点検動作の周期の設定が行え、当該周期に基づいて非常灯器具３に対するランプ９および非常用電源１０などの点検が行え、その点検結果を表示部２３に表示させることができる。これにより、異常発生の非常灯器具３に対して、迅速に対策を行うことができる。
【００６７】
このように、制御装置６（制御盤２０）において、誘導灯点検装置４および非常灯点検装置５から個別に誘導灯器具２および非常灯器具３のそれぞれの点検動作の周期の設定および点検作業が行えて、その点検結果の情報をそれぞれの表示部２３に表示させることができる。したがって、同一の伝送線７に接続されている誘導灯器具２および非常灯器具３に対して、異常のある誘導灯器具２または非常灯器具３を容易に特定することができる。
【００６８】
また、制御装置６の制御部４２は、誘導灯点検装置４または非常灯点検装置５において点検動作の周期を設定しているときに、誘導灯器具２および非常灯器具３，３Ａに対する点検動作の日時が重複するときには、当該点検動作の周期の設定を無効とし、誘導灯点検装置４または非常灯点検装置５の設定無効表示灯８を点灯させて当該無効を表示させるので、点検作業者は、当該点検動作の周期を変更して設定することができる。これにより、誘導灯器具２および非常灯器具３，３Ａに対する点検動作の日時の重複が避けられ、誘導灯器具２および非常灯器具３，３Ａに対する点検スケジュールの連動化が図られる。この結果、誘導灯器具２および非常灯器具３，３Ａのそれぞれの点検動作が略同時に実行されることを防止することができて、誘導灯器具２または非常灯器具３，３Ａによる非難誘導の安全性を向上させることができる。
【００６９】
次に、本発明の第２の実施形態について説明する。
【００７０】
図５は、本発明の第２の実施形態を示す制御装置および表示装置のそれぞれのブロック図である。なお、図３と同一部分には同一符号を付して説明は省略する。
【００７１】
図５に示す制御装置５２は、図３に示す制御装置６において、誘導灯点検装置４の一方のみが設けられている。そして、他方の非常灯点検装置５は、制御盤２０と別置している専用の表示装置５３に設けられている。制御装置５２および表示装置５３には、それぞれ第１の通信手段としての通信部５４および第２の通信手段としての通信部５５が設けられている。通信部５４および通信部５５は、通信線５６により接続されている。
【００７２】
非常灯点検装置５の設定部３０および表示部２３において設定された非常灯器具３の点検動作の周期や非常灯器具３に対する点検結果の情報の送信の要求信号は、表示装置５３の通信部５５から通信線５６を介して制御装置５２の通信部５４に伝送される。そして、制御装置５２の制御部４２の制御により、点検動作の指令信号および前記要求信号は、伝送部４３から伝送線７を介して非常灯器具３，３Ａに送信される。
【００７３】
また、非常灯器具３，３Ａから伝送された点検結果の情報は、伝送線７を介して制御装置５２の伝送部４３で受信され、制御部４２の制御により、通信部５４から表示装置５３の通信部５５に伝送される。非常灯点検装置５は、非常灯器具３，３Ａに対して点検結果の情報の送信を要求する要求信号の設定が行われたときに、異常機器番号表示部３３や機器状態表示部３４等の表示部２３を駆動させ、通信部５５が受信した点検結果の情報を表示部２３に表示させるように構成されている。
【００７４】
そして、制御装置５２の制御部４２は、伝送部４３が受信した点検結果の情報が誘導灯器具２または非常灯器具３，３Ａのいずれかで送信されたものかを点検結果の情報に付加しているアドレスで判断し、当該点検結果の情報を誘導灯点検装置４または通信部５４を介して表示装置５３の非常灯点検装置５に伝送させ、表示部２３に表示させるように制御する。
【００７５】
こうして、制御装置５２に設けられた誘導灯点検装置４および表示装置５３に設けられた非常灯点検装置５から個別に誘導灯器具２および非常灯器具３，３Ａのそれぞれの点検動作の周期の設定および点検作業が行えて、その点検結果の情報をそれぞれの表示部２３に表示させることができる。したがって、同一の伝送線７に接続されている誘導灯器具２および非常灯器具３，３Ａに対して、異常のある誘導灯器具２または非常灯器具３，３Ａを容易に特定することができる。
【００７６】
なお、制御装置５２に非常灯点検装置５が設けられ、表示装置５３に誘導灯点検装置４がそれぞれ設けられてもよい。すなわち、制御装置５２は、誘導灯点検装置４および非常灯点検装置５のいずれか一方が設けられ、表示装置５３は、誘導灯点検装置４および非常灯点検装置５の前記一方に対する他方が設けられるものである。
【図面の簡単な説明】
【００７７】
【図１】本発明の第１の実施形態を示す防災用照明装置点検システムの概略構成図。
【図２】同じく、誘導灯器具のブロック図。
【図３】同じく、制御装置のブロック図。
【図４】同じく、誘導灯点検装置の概略正面図。
【図５】本発明の第２の実施形態を示す制御装置および表示装置のそれぞれのブロック図。
【符号の説明】
【００７８】
１…防災用照明装置点検システム
２…誘導灯器具
３，３Ａ…非常灯器具
４…誘導灯点検装置
５…非常灯点検装置
６，５２…制御装置
５３…表示装置
【図１】
2008066070.tif 000003
【図２】
2008066070.tif 000004
【図３】
2008066070.tif 000005
【図４】
2008066070.tif 000006
【図５】
2008066070.tif 000007